(57)【要約】【課題】フレキシブル基板が挿抜されるノンジフ式コネクタのハウジング本体に、同基板の抜け止め機能を有するロック部材を組み付けるとき、両者に生じるストレスを低減でき、且つ容易に強固に組み付けることができるノンジフ式コネクタの組立て体を提供する。【解決手段】フレキシブル基板２０が挿抜されるノンジフ式コネクタのハウジング本体３０に、本体３０とは別体のロック部材５０を組み付けて成るノンジフ式コネクタの組立て体１０であって、ハウジング本体３０の嵌入孔３５にロック部材５０の脚部５１を嵌合・貫通するとき、ハウジング本体３０に設けられた片持梁状の舌片３８が弾性変形してストレスを逃がし、脚部５１の先端に設けたフック部５５が舌片３８の自由端３８ａに係合することで、本体３０にロック部材５０が組み付けられたもの。【選択図】図７
2007242393.tif 000002
【特許請求の範囲】
【請求項１】
フレキシブル基板の挿抜を許容する細長い開口部と、該開口部に連通する基板収容空間と、該空間に臨み上記基板の導体に弾接し得る複数の端子とを備えたノンジフ式コネクタのハウジング本体に、該本体とは別体のロック部材を組み付けて成るノンジフ式コネクタの組立て体であって、
上記ハウジング本体は、上記ロック部材の脚部が嵌合・貫通し得る嵌入孔と、該嵌入孔の外側の部分を区画するように上記脚部の貫通方向に沿って延出されその貫入口側に固定端を有する片持梁状の舌片と、該舌片の内側にその自由端に向かって傾斜して形成されたスロープとを備え、
上記ロック部材は、上記本体に挿入された上記基板と係合するために上記開口部の上方を庇の如く覆うように形成された係止部と、上記舌片の自由端と係合するために上記脚部の先端に設けられたフック部と、上記スロープに対応して形成された逃げ部とを備えたことを特徴とするノンジフ式コネクタの組立て体。
【請求項２】
上記脚部の背面と上記嵌入孔の壁面との間に、上記フック部が上記スロープに乗り上がったとき上記脚部に生じる撓みを許容するため、空隙を設けた請求項１に記載のノンジフ式コネクタの組立て体。
【請求項３】
上記舌片は、その自由端に向けてその厚さを増すことで上記スロープを形成した請求項１又は２に記載のノンジフ式コネクタの組立て体。
【請求項４】
上記フレキシブル基板は、フレキシブルな基板本体に補強板を積層して成り、
上記ハウジング本体に、かかるフレキシブル基板が挿入されたとき、該基板の補強板の一部が上記係止部に係合し得るようになっている請求項１〜３のいずれかに記載のノンジフ式コネクタの組立て体。
【発明の詳細な説明】
【技術分野】
【０００１】
本発明は、フレキシブル基板が挿抜されるコネクタの組立て体に係り、特に、ノンジフ式コネクタのハウジング本体に、ロック部材を組み付けて成るノンジフ（Ｎｏｎ−ＺＩＦ）式コネクタの組立て体に関する。
【背景技術】
【０００２】
ノンジフ式のコネクタは、ＦＰＣ（フレキシブル・プリント・サーキット）やＦＦＣ（フレキシブル・フラット・ケーブル）等のフレキシブル基板を回路基板に連結するための手段の一つで、そのハウジング本体に形成された基板収容空間に、フレキシブル基板又は補強板付きの同基板の先端部分を、同ハウジングに植設した端子の弾性力に抗して押し込み、もって該基板と上記端子とを弾接させて両者の電気接続を成す構造となっている。
【０００３】
かかるノンジフ式コネクタは、構造が簡単なことから廉価に製造でき、また、ワンアクション（Ｏｎｅ−Ａｃｔｉｏｎ）で上記基板を該コネクタに挿入・接続することができるため、その組付け（挿入・接続）作業性に優れ、且つ回路基板上にこの作業のためのスペースを殆んど必要としないと言う特徴を備えている。
【０００４】
しかし、この種のノンジフ式コネクタにおいては、端子の弾性力だけで前記フレキシブル基板を保持する構造となっているため、意に反して軽い引き抜き力が作用しただけで同基板がコネクタから抜けてしまうという懸念が有り、通常、その抜け止めの対策を講ずる必要があった。
【０００５】
このノンジフ式コネクタの抜け止め対策の一例として、特許文献１に記載された発明が知られている。この発明は、フレキシブル基板の先端部分に補強板を貼り付けると共に、その補強板の両側端に切り込みを入れて外向きに屈曲した突出部を形成し、もって同基板をコネクタ内に挿入する際には該突出部が容易に且つスムーズに弾性変形し、逆に同基板を抜去しようとした場合には同突出部が逆立って外向きに広がらんとし、その抜け止めの機能を発揮すると言うものである。
【０００６】
この発明によれば、確かにフレキシブル基板の抜け止め効果は得られるものの、これを意思を持って抜去せんとした際、只単に同基板を強引に引き抜くしか方法が無いため、抜去すると上記突出部が折損して再使用（再挿入）不能となり兼ねない。また、補強板の側端に切り込みを入れて突出部を形成するため、同基板の幅が実質的に広くなり、同基板が挿入されるコネクタもその全幅を広げざるを得ず、結果としてコネクタの回路基板への実装占有面積が増大してしまうと言う欠点も有していた。
【０００７】
また、特許文献２には、補助部材（符号１０）にフレキシブル基板を巻きつけてコネクタに嵌合させる発明が示されている。この発明は、上記補助部材の両側端にフック部を持ったラッチアームを設けておき、挿入時、該フック部がコネクタの側部に係合して抜け止め機能を発揮し、且つ抜去時には同ラッチアームの自由端を操作して上記係合を解き、コネクタからフレキシブル基板及び補助部材をスムーズに引出せるという効果を有している。
【０００８】
しかし、特許文献２に開示された発明では、上記ラッチアームを設けるなど、極めて複雑な構造の補助部材を用意しなければならず、そのコストアップが甚だしく、また、予めこの補助部材にフレキシブル基板を巻き付けておかねばならないため、コネクタへの同基板挿入は、実質、ワンアクションではなくなってしまうと言う問題点を持っていた。
【０００９】
【特許文献１】特開平１１−１９１３２６号公報
【特許文献２】特開平１１−３２９６２１号公報
【発明の開示】
【発明が解決しようとする課題】
【００１０】
このような事から、多くの長所を有しながら、ノンジフ式コネクタの抜け易いという欠点を憂慮し、ユーザーをしてこのタイプのコネクタの採用に消極的ならしめていた傾向が窺える。
【００１１】
かかる事情の下、本出願人は、ノンジフ式コネクタのハウジング本体に、フレキシブル基板の抜け止め機能を発揮するロック部材を組み付けて成るノンジフ式コネクタの組立て体を開発中である。この組立て体によれば、ハウジング本体にフレキシブル基板を挿抜するとき同基板を撓ませることでロック部材を避けて挿抜できるので、ワンアクションでのスムーズな挿抜が可能と言うノンジフ式コネクタの長所が損なわれることはなく、挿入された同基板がロック部材によって抜け止めされるので確実な抜け止めを達成でき、コネクタの幅も増加しない。
【００１２】
本発明は、上述したノンジフ式コネクタの組立て体に関する発明であり、その目的は、ノンジフ式コネクタのハウジング本体にロック部材を組み付けるとき、両者に生じるストレスを低減でき、且つ容易に強固に組み付けることができるノンジフ式コネクタの組立て体を提供することにある。
【課題を解決するための手段】
【００１３】
上記目的を達成するために本発明は、フレキシブル基板の挿抜を許容する細長い開口部と、該開口部に連通する基板収容空間と、該空間に臨み上記基板の導体に弾接し得る複数の端子とを備えたノンジフ式コネクタのハウジング本体に、該本体とは別体のロック部材を組み付けて成るノンジフ式コネクタの組立て体であって、上記ハウジング本体は、上記ロック部材の脚部が嵌合・貫通し得る嵌入孔と、該嵌入孔の外側の部分を区画するように上記脚部の貫通方向に沿って延出されその貫入口側に固定端を有する片持梁状の舌片と、該舌片の内側にその自由端に向かって傾斜して形成されたスロープとを備え、上記ロック部材は、上記本体に挿入された上記基板と係合するために上記開口部の上方を庇の如く覆うように形成された係止部と、上記舌片の自由端と係合するために上記脚部の先端に設けられたフック部と、上記スロープに対応して形成された逃げ部とを備えたものである。
【００１４】
上記脚部の背面と上記嵌入孔の壁面との間に、上記フック部が上記スロープに乗り上がったとき上記脚部に生じる撓みを許容するため、空隙を設けてもよい。
【００１５】
上記舌片は、その自由端に向けてその厚さを増すことで上記スロープを形成してもよい。
【００１６】
上記フレキシブル基板は、フレキシブルな基板本体に補強板を積層して成り、上記ハウジング本体に、かかるフレキシブル基板が挿入されたとき、該基板の補強板の一部が上記係止部に係合し得るようになっていてもよい。
【発明の効果】
【００１７】
本発明に係るノンジフ式コネクタの組立て体によれば、ノンジフ式コネクタのハウジング本体にロック部材を組み付けるとき、ハウジング本体の舌片が弾性的に撓むことで両者に生じるストレスを低減でき、また、ロック部材のフック部がハウジング本体の舌片のスロープを滑って自由端に係合するため、容易に且つ強固に組み付けることができる。
【発明を実施するための最良の形態】
【００１８】
以下、本発明の好適実施形態について添付図面を基に説明するに、先ず概要を示す図１及び図２において、１０はノンジフ式コネクタの組立て体（以下単にコネクタ１０と言う）、２０はそこに挿入されるフレキシブル基板である。該コネクタ１０は、ＰＰＳ（ポリフェニレンサルファイド）等の合成樹脂からなるハウジング本体３０と、同本体３０の内部に複数配設されたリン青銅等の金属製の端子４０と、このハウジング本体３０の上部に組み込まれた上記ＰＰＳ等製のロック部材５０とを有する。なお、６０は、上記ハウジング本体３０に装着された取付金具であり、同本体３０を図示せぬ回路基板に固定するためのものである。
【００１９】
図３及び図４を用いて本実施形態をさらに詳説するに、上記ハウジング本体３０は、略直方体状を呈しており、前記フレキシブル基板２０の先端部分を挿抜するためにその上面に形成された長手方向に細長い開口部３１と、該開口部３１に繋げて内部に形成された基板収容空間３２と、前記端子４０が圧入される圧入溝３３と、同端子４０が挿通・ガイドされる端子溝３４と、前記ロック部材５０の脚部５１が嵌入される嵌入孔３５と、同端子４０の位置決め用ガイド穴３６と、上記基板２０の先端部分が突き当たってその挿入深さを規制する突当部３７とを備えている。
【００２０】
また、上記端子４０は、基部４１と、該基部４１から上方に延設されて前記圧入溝３３に嵌合し得る圧入部４２と、同基部４１から大きく上方に延設され前記端子溝３４に遊嵌される接触部４３と、同接触部４３の先端部分に備えられた接点部４４と、上記基部４１から側方に延設され図示せぬ回路基板に実装されるテール部４５と、前記ガイド穴３６に対応するガイド片４６と、上記圧入部４２に形成された矢じり４７とを有している。
【００２１】
因みに、ハウジング本体３０に対して上記端子４０は、そのテール部４５が一本毎に左側方、右側方の夫々に振り分け配置（所謂千鳥配置）されている。また、このテール部４５は、図１で２５本、図２でも２５本現れている通り、本コネクタ１０では計５０本の端子がハウジング本体３０に植設されている。勿論、該端子４０の全ての接点部４４は、同ハウジング本体３０の内部、即ち前記基板収容空間３２に臨み且つ同一方向を指向・整列していることは言うまでもない。加えて、この端子４０は、ハウジング本体３０の下方から上方に向けて圧入されるようになっている。
【００２２】
前記フレキシブル基板２０は、図５及び図６に示すように、フレキシブルな基板本体２１の先端部分の一側面２１ｘに補強板２２を積層している。なお、説明の便宜上、以下フレキシブル基板又は単に基板と称した場合には、特に断りがない限り、上記基板本体２１に補強板２２を貼付してなる補強板付きフレキシブル基板２０のことを示すものとする。
【００２３】
そして上記基板本体２１は、フレキシブル基板２０の幅方向に間隔を隔てて複数配置された銅線、銅箔等からなる導体２３と、該導体２３を挟み込むように配されたポリエステル等の合成樹脂製絶縁材からなるベースフィルム２４、２５とを有し、前記先端部分において、上記補強板２２を積層した面２１ｘとは反対側の同ベースフィルム２５が除去され、そこに上記導体２３が露出している。
【００２４】
前記補強板２２は、適度な厚さを備えて適度な剛性と可撓性を有するポリエチレンテレフタレートの如き合成樹脂製絶縁材から成り、且つ前記基板本体２１の先端並び両側端と該補強板２２のそれとが略面一となるように揃えた上、貼付されている。
【００２５】
一方、前記ロック部材５０は、図１、図３及び図４に示すように、前記開口部３１の長手方向中央部に隣接させてハウジング本体３０の上面に配置された本体５２と、同本体５２の中央から垂下されていて前記嵌入孔３５に嵌入される脚部５１と、同ハウジング本体３０に形成された舌片部３８の自由端３８ａに係合するフック部５５と、該本体３０の上部から前記開口部３１の上方に庇の如く延設された係止部５３とを有している。そして該係止部５３は、上記開口部３１の長手方向に間隔を隔てて二個形成されており、また同係止部５３の下面には前記補強板２２の上端２６が当接される係止面５３ｘが用意されている。
【００２６】
このロック部材５０は、前記ハウジング本体３０とは別にモールド成形され、後にその脚部５１を前記嵌入孔３５に挿通してそのフック部５５が前記舌片３８の自由端３８ａに係合されることで、ハウジング本体３０に対してガタ無くしっかりと組み付けられる。これにより、コネクタ組立て体１０としては上述のように開口部３１の上方に係止部５３が庇の如く突き出す構造となっていても、ハウジング本体３０のモールド成形時、その金型が抜けないと言った事象は生じない。
【００２７】
このハウジング本体３０へのロック部材５０の組み付けに関し、図７（ａ）、（ｂ）をもってさらに詳しく説明するに、前記舌片３８は、嵌入孔３５の外側の部分（ハウジング本体３０の外殻を成す部分）を区画するように上記脚部５１の貫通方向に沿って延出され、その貫入口３５ｃ側に固定端を有する片持梁状に形成されている。舌片３８の内面、即ち嵌入孔３５側の面は、その自由端３８ａに向ってその厚さを増すように、スロープ３８ｂが形成してある（なお、その厚さを増さず、同舌片３８を内側に屈曲させて該スロープ３８ｂとしても良い）。
【００２８】
また、このスロープ３８ｂに対応して前記脚部５１には、スロープ３８ｂが嵌り込むように形成された逃げ部５６が設けられており、逃げ部５６の先端には、舌片３８の自由端３８ａと係合し得るように形成された前記フック部５５が設けられており、且つ同脚部５１の背面５７と前記嵌入孔３５の壁面３５ａとの間には、所定の間隙３５ｂが用意されている（但し、該間隙３５ｂを備えなくても良い）。
【００２９】
これにより、ハウジング本体３０へ上記ロック部材５０を組み付けるべく、上記嵌入孔３５に脚部５１を挿入し、その挿入度合いが大きくなると、前記フック部５５が上記スロープ３８ｂを滑り降りることになり、図７（ｂ）に矢印で示す如く、前記舌片３８を外側（図中左方）に弾性変形させ、また脚部５１自身も内側（図中右方）に弾性変形し（但し、前記間隙３５ｂがない場合はこの限りでない）、さらにその進入度合いを増して同フック部５５がスロープ３８ｂを乗り越え、その弾性変形が解除される結果、該フック部５５が前記自由端３８ａと係合し、図４に示すような組み付け状態に至ることができる。
【００３０】
このようにして一体化したハウジング本体３０とロック部材５０を有するコネクタ１０において、前記突当部３７と係止部５３の係止面５３ｘとの間隔Ｗ（図３参照）は、補強板２２の高さＨ（図５参照）に略一致させてある。或いは、この間隔Ｗを高さＨよりも僅かに小さく設定し、フレキシブル基板２０が挿入された際、補強板２２が突当部３７と係止面５３ｘとの間で僅かに撓むようにしても良い。また、係止面５３ｘの自由端側が固定端側より僅かに下がるように形成することも有効である。
【００３１】
前記取付金具６０は、図１〜図４中にその詳細形状が現れないが、前記端子４０の基部４１及び圧入部４２と類似する部位と、その部位から左右に延設された一対の取付部位とを有しており、前者部位がハウジング本体３０に圧入され、後者部位が図示せぬ回路基板に半田付け固定される如きもので、この種の取付金具は慣用技術であることから、詳しい説明を省略する。
【００３２】
次に、本実施形態の作用を説明するに、コネクタ１０にフレキシブル基板２０を挿入する際は、先ず、同基板２０の導体２３が露出された面の向きを、端子４０の接点部４４の方向に合致させ、その先端部分を前記開口部３１から基板収容空間３２内に挿入する。この時、上記開口部３１の上方にはロック部材５０の係止部５３が延出されているので、これとの干渉を避けるべく、斜めに同基板２０を挿入することになる。
【００３３】
この場合、該基板２０は、補強板２２の背面（基板本体２１が接着されていない面）の先端が基板収容空間３２の内壁３９（図３、図４、図７参照）上を滑りつつ、端子４０の接点部４４に当接してその接触部４３を弾性変形させながら同空間３２に進入することになるので、所定の挿入抵抗を受けるものの、この抵抗は強くないので、極めて円滑に進入して行くことができる。
【００３４】
続けてフレキシブル基板２０を進入させて行くと、上記補強板２２の背面の先端が前記内壁３９に当接することに加え、同背面の中央部乃至上部若しくは上端近傍が上記係止部５３の先端に当接するようになり、ここでやや挿入力を増して同基板２０を押し込むことにより、該基板２０は弓なりに撓みながら前記基板収容空間３２中を進入することになる。何故ならば、基板本体２１に補強板２２を積層してなる該基板２０の先端部分は適度な剛性と可撓性を兼ね備えているので、湾曲しながらも座屈することなく、円滑に進入することができるからである。
【００３５】
さらにフレキシブル基板２０を進入させて行き、その前記先端部分が突当部３７に当接すると同時に、或いはこの当接に先立って、若しくは当接なしで、上記補強板２２の上端２６が前記係止部５３の先端を通過し、その弓なりの変形が解かれ、該先端部分が直線状に復元するのに伴って該補強板２２は係止面５３ｘの下に潜り込み、且つ前記端子４０の接点部４４に押圧されて前記内壁３９に押し付けられ、もって前記突当部３７と係止面５３ｘとの間に保持される、或いは前記係止部５３によって係止される。
【００３６】
これと同時に、上記フレキシブル基板２０の導体２３は前記端子４０の接点部４４に圧接され、同端子４０のテール部４５が回路基板に半田付けされているので、該基板２０はこの端子４０を介して回路基板に電気接続されることになる。
【００３７】
このように、補強板２２を積層したフレキシブル基板２０の先端部分は、弾性変形している接触部４３のバネ力で前記内壁３９側に押圧されており、更に該補強板２２の上端２６が係止部５３に係合しているので、特別な外力が作用しない限り、上記先端部分が基板収容空間３２から抜け出すことはない。
【００３８】
また、上記補強板２２が係止部５３と突当部３７とによって挟持され、或いは前述の如く前記間隔Ｗを前記高さＨよりも僅かに小さくしておき、補強板２２に僅かな歪みを付与し得るようにすれば、より一層、同基板２０は抜け難くなる。さらに、係止部５３の係止面５３ｘの自由端側を僅かに下げるようにしておくことでも、抜け止め機能の向上に有効である。但し、上記基板２０の先端部分が接点部４４により前記内壁３９側に押し付けられ、上記補強板２２が該係止部５３に係合しているだけで十分な上記抜け止め効果は発揮できるので、上述のアレンジは省略できる。
【００３９】
一方、意思をもってこのフレキシブル基板２０をコネクタ１０から抜去する場合は、図１において記号Ａで示す補強板２２の背面を前記係止部５３の自由端側（図中右方）に押し出すことにより、或いは、図１において記号Ｂで示す基板本体２１の一部を同自由端の方向（図中右方）に引くことにより、該補強板２２を撓ませてその上端２６と前記係止部５３との係合を解きつつ、同基板２０を斜め上方に軽く引き抜くことで達成される。
【００４０】
本実施形態においては、フレキシブル基板２０は、前記特許文献１に記載のもののように、補強板の側方に突出部の如きものを設ける必要がないから、同基板の幅が広くなり、コネクタの全幅、即ち基板実装面積を増大させるようなことはない。また、特許文献２に記載された補助部材のようなものを用意する必要も無いので、廉価なコネクタとすることができる。
【００４１】
なお、このコネクタ１０は、スライダーやアクチュエータ等と言った可動部材を備える形式（ジフ式）ではなく、また特許文献２の補助部材の如きものも持たず、その構造はノンジフ式のままであるから、ワンアクションでの同基板２０の挿入抜去が可能との特徴は維持されている。
【００４２】
そして、前記ロック部材５０は、ハウジング本体３０とは別途にモールド成形し、後にそこへ組み込むようにしたので、前記開口部３１の上方に係止部５３が庇の如く突き出す構造となっていても、モールド成形時に、その金型が抜けないと言った事象は生じない。
【００４３】
また、前記ハウジング本体３０の嵌入孔３５の一部を片持ち梁状の前記舌片３８で区画したので、図７（ａ）、（ｂ）に示すように、該嵌入孔３５へロック部材５０の脚部５１を進入させて行くと、そのフック部５５をもって該舌片３８を外方に弾性変形させ、さらに押し進めてその自由端３８ａを同フック部５５が越えた時点で同変形を解き、もってこの両者が係合して前記ハウジング本体３０とロック部材５０の強固な一体化が達成できる。
【００４４】
そしてこのとき、前記脚部５１の背面５７と嵌入孔３５の壁面３５ａとの間には間隙３５ｂが用意されているので、該脚部５１も前記舌片３８と反対方向に弾性変形することができる。したがって該脚部５１の嵌入孔３５への進入時、図７（ｂ）に矢印で示すように、同脚部５１と前記舌片３８との双方が各々逆方向に変位できるので、夫々の変位量をシェア（分担）し、これらに大きなストレスを付与しない。換言するに、前記ＰＰＳの如き合成樹脂は比較的脆く、さほど大きくもない変位量で塑性変形乃至破損してしまうことが懸念されるも、斯様に、脚部５１と舌片３８とでこれをシェアするから、同懸念を半減できる。但し、斯様に両者が逆方向に変位できることは有効であるも、上記間隙３５ｂを省いて前記舌片３８のみが変位する構造とすることを妨げない。
【００４５】
加えて、前記舌片３８の内面は自由端３８ａに向ってその厚さを増すようにスロープ３８ｂが形成してあり、且つこれに対応して前記脚部５１には逃げ部５６が設けてあってその先端に前記フック部５５が位置付けされているので、上記舌片３８はその固定端側（自由端３８ａの逆側）の肉厚が薄くなっていて変位し易く、また同脚部５１はその先端側の肉厚が薄くなっていて変位し易くなっており、上記弾性変形し易い構造とすると共に、脚部５１と舌片３８の係合の強固さを確保している。
【００４６】
本発明は上記図示実施形態に限定されない。
【００４７】
例えば、各図中、フレキシブル基板２０の基板本体２１は、補強板２２の上端２６の近傍において略直角方向に屈曲せしめてあるが、これは単にこの方向に該基板２０の他端が連接される別のコネクタ等が存在しているイメージを示したに過ぎず、屈曲していることを含め、何ら特別の意味を持つものではなく、係止部５３を避けつつ略垂直（図中上方）に伸びることを妨げない。
【００４８】
また、図示実施例では、補強板２２の上端２６が、直接、係止部５３に係合するものとして説明したが、図８に示す如く、該補強板２２が前記基板本体２１に固着されていない非固着部２７を有し且つそこに窓状の被係止部２８を設けて該被係止部２８が上記係止部５３に係合するようになす他、図９に示す如く、同補強板２２が前記基板本体２１に積層される固着部２９の中に同基板本体２１で塞がれた被係止部２８ａを設けてここに上記係止部５３に係合するようにすることも可能である。
【００４９】
さらに、突当部３７（図３、図４）は、ハウジング２０に設けられた例を示したが、端子４０の基部４１にこの役割を転嫁することもできるし、これを省くことも可能である。
【００５０】
また、ロック部材５０及び係止部５３は、図例のように細長い開口部３１の長手方向の中央部に隣接させて配置したものに限定されることはなく、同開口部３１の両端部や一端部に隣接させて配置してもよい。要は、フレキシブル基板２０を挿入してロックしたときに、補強板２２にロック部材５０及び係止部５３によって覆われない部分（ロックを解除するために押圧される部分Ａ）が確保できればよい。
【００５１】
また、係止面５３ｘの幅、即ち係止部５３の庇の突き出し量を、補強板２２の厚さを考慮して極力小さくし、前記基板２０の挿入時における同補強板２２等の変形量をミニマイズすることも有効である。
【図面の簡単な説明】
【００５２】
【図１】本発明の一実施形態に係るノンジフ式コネクタの組立て体の斜視図である。
【図２】図１の組立て体を反対側から見た斜視図である。
【図３】図１のIII−III線矢視断面図である。
【図４】図１のIV−IV線矢視断面図である。
【図５】図１のコネクタ組立て体に挿抜されるフレキシブル基板の斜視図である。
【図６】図５のVI−VI線断面図である。
【図７】ハウジング本体とロック部材の組み付けプロセスを説明する図１のIV−IV線矢視断面に対応した説明図であり、（ａ）は最初のプロセス、（ｂ）は次のプロセスを示す図である。
【図８】図５のフレキシブル基板の変形例を示す斜視図である。
【図９】図５のフレキシブル基板の別の変形例を示す斜視図である。
【符号の説明】
【００５３】
１０  コネクタ
２０  フレキシブル基板
２１  基板本体
２２  補強板
２３  導体
３０  ハウジング本体
３１  開口部
３２  基板収容空間
３５  嵌入孔
３５ａ  壁面
３５ｂ  空隙
３５ｃ  貫入口
３８  舌片
３８ａ  自由端
３８ｂ  スロープ
４０  端子
５０  ロック部材
５１  脚部
５３  係止部
５５  フック部
５６  逃げ部
５７  背面
【図１】
2007242393.tif 000003
【図２】
2007242393.tif 000004
【図３】
2007242393.tif 000005
【図４】
2007242393.tif 000006
【図５】
2007242393.tif 000007
【図６】
2007242393.tif 000008
【図７】
2007242393.tif 000009
【図８】
2007242393.tif 000010
【図９】
2007242393.tif 000011